(57)【要約】【課題】飲容器８などの取っ手の付いた飲用器に淹れた飲み物を、温かい飲み物は温かいままに、冷たい飲み物は冷たいままに卓上で保温が可能な蓄熱式による飲用器保温ホルダーを提供する。【解決手段】有底で飲用器より一回り広径の周壁の形状をなし、蓄熱性の高い材質を用いて成形した飲用器保温ホルダーで、その周壁上方から垂直方向に向けた切り込みを設けることにより、飲容器の取っ手をこの切り込みにはめ込ませることができ、取っ手付きの飲用器の保温ができるようにした。また、本保温ホルダーに蓋を設け、蓋にも周壁下端より切り込みを設け、多様な取っ手付き飲容器を蓄熱により保温できる保温ホルダーを開発した。【選択図】                  図１
2014144032.tif 000002
【特許請求の範囲】
【請求項１】
蓄熱素材よりなる保温ホルダーであって、底部と、筒状もしくは上方に拡径した周壁部とから構成され、少なくとも周壁部に飲容器の取っ手を収容するための切り込みを備えたことを特徴とする保温ホルダー。
【請求項２】
蓄熱素材よりなる保温ホルダーであって、底部と、筒状もしくは上方に拡径した周壁部とからなる本体と、蓋により構成され、前記本体周壁部には飲容器の取っ手を収容するための切り込みを備えることを特徴とする保温ホルダー。
【請求項３】
前記蓋にも飲容器の取っ手を収容するための切り込みを備えることを特徴とする請求項２に記載の保温ホルダー。
【請求項４】
蓄熱素材よりなる保温ホルダーであって、本体周壁部下方周縁にツバを設けたことを特徴とする請求項１乃至請求項３に記載の保温ホルダー。
【発明の詳細な説明】
【技術分野】
【０００１】
本発明は、蓄熱により飲用器および飲容器中の飲み物を温かいままで、もしくは冷たいままで保温できる飲容器の保温ホルダーに関する。
【背景技術】
【０００２】
コーヒーなどの飲料は、通常、ホットまたはアイスの飲用に適した温度で飲容器などの飲用器に注いで飲用するが、常温下では時間が経過するに伴い、ホットのものは冷め、アイスでは温くなってしまい、おいしく飲めなくなってしまう欠点がある。これを解決する手段として、たとえば例えば飲容器のホルダーをあらかじめ加熱し、その蓄熱効果により飲用器の保温性を得る飲用器の保温具が記載されている。
【先行技術文献】
【特許文献】
【０００３】
【特許文献１】特開２００８−４１６
【発明の概要】
【発明が解決しようとする課題】
【０００４】
しかしながら上記先行技術では、以下のような課題を有していた。特許文献１の保温具の形状は、円筒状もしくは上方に向かって拡径したコップ状の形状であり、収容ができる飲容器は容器に凸部のない飲容器を対象としたものである。しかし、ホットコーヒーの飲用時などで通常用いる飲容器は、熱い飲用器の熱が手に伝わらないよう、また持ちやすくするために取っ手をつけたものが一般的であり、先行技術の保温具では、このような取っ手のついた飲容器を使用することができない。また、先行技術の保温具においては飲容器外壁と保温ホルダー内壁を密着させることにより保温ホルダーの蓄熱伝導で保温をする構造であるため、使用可能な飲容器の形状が限定される。さらに先行技術の保温具は蓋を有していないため、保温具および飲み物の入った飲容器から上方への放熱を防ぐ手段がないため保温性に乏しいと言った問題があった。
【課題を解決するための手段】
【０００５】
上記課題を解決するために本発明の保温ホルダーは以下の構成を有している。
請求項１記載の発明は、蓄熱素材よりなる保温ホルダーであって、底部と、筒状もしくは上方に拡径した周壁部とから構成され、少なくとも周壁部に飲容器の取っ手を収容するための切り込みを備えたことを特徴とする。
請求項２記載の発明は、蓄熱素材よりなる保温ホルダーであって、底部と、筒状もしくは上方に拡径した周壁部とからなる本体と、蓋により構成され、前記本体周壁部には飲容器の取っ手を収容するための切り込みを備えることを特徴とする。
請求項３に記載の発明は、前記蓋にも飲容器の取っ手を収容するための切り込みを備えることを特徴とする。
請求項４に記載の発明は、蓄熱素材よりなる保温ホルダーであって、本体周壁部下方周縁にツバを設けたことを特徴とする。
【発明の効果】
【０００６】
上記のように構成したことで、本発明の保温ホルダーは、以下の効果を奏する。
請求項１に記載の保温ホルダーの周壁部には、少なくとも1か所以上に上端から垂直方向に向けた切り込みが設けられており、飲用器の取っ手をこの切り込みに合わせて保温ホルダーへ内挿することで、飲用器全体を保温ホルダーで覆うことが可能となり、飲用器からの放熱が軽減できるので、長時間温度を保つことができる。
【０００７】
請求項２の発明では、保温ホルダーの周壁部には、少なくとも1か所以上に上端から垂直方向に向けた切り込みが設けられており、飲用器の取っ手をこの切り込みに合わせて保温ホルダーへ内挿するとともに、保温ホルダー上部に設けた蓋で覆うことにより、蓋を使用しない場合より飲用器および保温ホルダーからの放熱をより軽減できる。
【０００８】
請求項３の発明では、保温ホルダーの蓋にも飲用器の取っ手が収容可能な切り込みをもうけたので、取っ手が上方まで設けられた飲用器であっても、蓋をした状態で収容することが可能となり、収納可能な飲用器の種類を増やすことができる。
【０００９】
請求項４の発明では、保温ホルダー本体周壁部下方周縁にツバを設けることにより、スプーンやミルクポットなど、喫茶に要する物品を置くことができる。また、このツバは接客時において保温ホルダーを卓上に置く際の持ち手としての機能を有することから、ソーサーを必要としない。
【図面の簡単な説明】
【００１０】
【図１】請求項１における取っ手付き飲容器を内挿した状態の飲用器保温ホルダーを示した正面を表す断面図である。
【図２】請求項1における飲容器を内挿した状態の飲用器保温ホルダーを示した右側面を表す断面図である。なお、左側面はこれに同じである。
【図３】請求項1における飲用器保温ホルダーの背面を示した断面図である。
【図４】請求項１における飲用器保温ホルダーを示した平面図である。
【図５】請求項１における飲用器保温ホルダーを示した底部図である。
【図６】請求項２における蓋を備えた飲容器保温ホルダーの正面を表す断面図である。
【図７】請求項３におけるツバを備えた飲用器保温ホルダーの正面を表す断面図である。
【図８】請求項２における蓋を備え、取っ手付き飲用器を内挿した状態の保温ホルダーを示した外観である。
【実施例】
【００１１】
以下、図面を参照しながら本発明の実施例を説明する。図１乃至図３において、保温ホルダー１の周壁部３には、少なくとも1か所以上に上端から垂直方向に向けた切り込み２が設けられている。この切り込み２は、飲容器８のような取っ手付き飲容器８の取っ手９が上記周壁部３に阻まれずに内挿できるようにするためのものであり、取っ手付き飲容器８を保温ホルダー１へ内挿する際には、飲容器８の取っ手９を持ち、取っ手９を切り込み２に添わせて保温ホルダー１に降ろすことにより内挿することができるよう構成している。この切り込み２の幅は、少なくとも取っ手９の最大幅より広くし、切り込み２の深さは、少なくとも飲容器８内挿時における取っ手９の下端が触れない深さとすることで、切り込み解放部からの放熱を少なくしている。また図４に記載の如く、前記切り込み２は、上端角面をテーパー処理や、面取り、切り込み底部の丸め処理等を施すことにより、飲容器８の出し入れを円滑にするとともに、取扱い時の破損や怪我を防ぐことができる。
【００１２】
図８において、蓋６には内挿した飲容器８の取っ手９が保温ホルダー１の周壁部３上端より上部にはみ出す場合のために、蓋６周壁下端から蓋６天面にかかる範囲内において垂直方向の切り込み２を設ける。一方、内挿した飲容器８の取っ手９が保温ホルダー１の周壁部３上端より上部にはみ出さない場合においては、切り込み９は必要とせず、蓋６は周壁部を有しない鍋蓋状の形状でもよい。
【００１３】
保温ホルダー１の底部４および周壁部３は、陶磁器等の蓄熱性の高い材質で構成するのが望ましく、その厚さは、強度および蓄熱量が確保でき、かつ取扱いを容易にする観点から４ｍｍ〜１０ｍｍの範囲とすることがよい。また、保温ホルダー１の内高は、保温性を確保しつつ取扱いをしやすくするため飲容器８全高の７０％〜１１０％の範囲とすることがよい。
【００１４】
保温ホルダー１の蓋６の材質は、保温ホルダー１本体と同じ陶磁器等による蓄熱性の高い材質で一体的に構成することが保温性および美観上望ましいが、蓋６の主な目的が、保温ホルダー１天面から上方への放熱を抑えるものであることから、軽量化を図るため保温ホルダーより薄くしてもよく、より軽い素材のものを用いてもよい。図示していないが、蓋６の飲容器８の上部と対抗する蓋面は、蓋６を閉じた際に内挿した飲容器８の周壁部３上端との間隔が小さいほど保温性は高まる。蓋６の外上部天面につまみを設けることにより、蓋の扱いが容易になる。
【００１５】
同様に図示を省略しているが、保温ホルダー1と蓋６の一ヵ所に連結する蝶番を設け、蓋６が開口角度１００度〜１２０度の範囲内で保温ホルダー１の上端に留まるようにすることにより、飲用器を取り出す際および収納する際の蓋の扱いが容易になるとともに、蓋の置き場を確保することができる。
【００１６】
保温ホルダー１における周壁３の内径は、飲容器８の外径最大値より２％〜２０％大きいものとすることで、飲容器８と保温ホルダー１の周壁部３内面には空隙が確保される。この空隙は飲容器８および保温ホルダー１からの放熱を抑える断熱層の役割を果たす。この空隙により保温ホルダー１に内挿できる寸法の飲容器８であれば、飲容器８は任意の形状のものが内挿することできる。
【００１７】
保温ホルダー１の内底面を平面とすることにより、内挿した飲容器８の外底面と保温ホルダー１の内底面が密着することから、飲みかけの飲容器を保温ホルダーに戻した際には、保温ホルダー内底面との温度差を平衡状態にまで調整することができる。
【００１８】
保温ホルダー１の、周壁３に取っ手をつけることにより、保温ホルダー１を加熱して用いる場合においても直接掴まずに済むので接客時の取り扱いが安全で容易になる。
【００１９】
保温ホルダー１の、外周および底表面に断熱性を有する塗料やコーティング剤を塗布または密着することにより、保温ホルダー１から外部への放熱を防ぎ、保温効果をより高めることができる。また、保温ホルダー１の底部４の周囲に連続した脚部５を設けることにより、テーブルなど置台との間に断熱層となる空隙が確保でき、保温ホルダー１の放熱を抑えることができる。
【００２０】
図７において、保温ホルダー１は、周壁３外面下方周縁に盤状のツバ７を付けたものであり、保温ホルダー１にソーサー（飲用器受け皿）としての機能を付加したものである。このツバ７にはスプーンやミルクポットなど、喫茶に要する物品を置くことができる。また、このツバ７は接客時において保温ホルダー１を卓上に置く際の持ち手としての機能を有することから、ソーサーを必要としない。
【００２１】
本発明の保温ホルダーは、以下の利点を有する。
本保温ホルダー１は、飲容器８内挿時に飲容器８外周と保温ホルダー１内周との間に断熱層の役割を果たす空隙を有することから、保温ホルダー１に内挿可能なものであれば飲容器８の形状は限定されず、多様な形状の飲容器８が使用可能な保温ホルダー１を提供することができる。
【００２２】
本保温ホルダー１は取っ手９付きの飲容器８を内挿することが可能であることから、湯煎等、外部からの熱供給を行う際に、保温ホルダー１と飲容器８を重ねた状態で処理することができるため、作業時の嵩を減らすとともに省力につながる。また、取っ手９付き飲容器８を上下逆さにして内挿することも可能であり、収納や配膳において場所を取らず、かつ飲容器８を衛生的に保つことができる。
【００２３】
本保温ホルダー１は、使用前に他からの熱供給による本体の蓄熱により保温作用を有するものであり、保温時に電源その他の熱源を必要とせず、接客の卓上に置いてもコンパクトであり邪魔にならず喫茶の雰囲気を害さない。
【００２４】
本保温ホルダー１は、使用前に本体の蓄熱を行うことで保温作用を発するものであり、加温にあたっては湯煎またはマイクロ波照射等による昇温が可能であり、冷却にあたっては冷蔵庫内に定置することで冷却が可能であり、特殊な機械設備を要せず高度な技術も要しない。
【００２５】
本保温ホルダー１は、保温作用のほかにソーサー（飲用器受け皿）としての機能をもつことから、これに飲み物の入った飲容器８をセットして接客に供することができ、接客時におけるソーサーが不要となる。また、飲容器８の飲み口からの液だれは、飲容器８の内挿時に保温ホルダー１の内底面に溜まるため、外部からは見えず見た目を悪くすることがない。
【００２６】
本保温ホルダー１に蓋６を設け、これにより蓋をすることで保温効果を一層高めることができる。また、飲容器８、保温ホルダー１を衛生的に保つことができる。
【００２７】
飲用器８と保温ホルダー１および蓋６を統一的な形状・寸法とすることで、優れた保温効果が得られ、また、優れた美観を提供することができる。
【００２８】
次に本保温ホルダーの使用形態をホットコーヒーにおける使用例により説明する。ホットコーヒーを注ぐ前に、あらかじめ飲容器８および保温ホルダー１を湯煎等により、飲用の適温である９０℃程度に加温する。飲容器８および保温ホルダー１が設定温度になったら湯煎器から取り上げ、別々に湯を切り、飲容器８にホットコーヒーを注ぎ、その後、保温ホルダー１に飲容器８を納めた状態で接客のテーブルに供する。飲み手は飲用時のほかは常に保温ホルダー１へ飲容器８を戻すことで長時間にわたりホットコーヒーを適温に保ち、おいしく味わうことができる。蓋６のある場合には、飲容器８を保温ホルダー１に戻すたびに蓋６をすることで、保温効果をより高めることができる。
【００２９】
【表１】
2014144032.tif 000003
【産業上の利用可能性】
【００３０】
本発明は、蓄熱型であり飲み物を入れた飲容器８を収容した状態で持ち運びのできる保温ホルダー１であり、そのままで接客テーブルに置くことができ、コンパクトでありテーブルに電源や装置を必要とせず邪魔にならず雰囲気を害さない。蓄熱にあたって、加温は湯煎またはマイクロ波照射により可能であり、冷却は冷蔵庫内に定置することで可能であり、特別の器材や技術も要しない。また、保温ホルダー１は形状が単純であり故障するところがなく、取扱いや洗浄が容易である。したがって、飲食業、宿泊施設、福祉施設、家庭や職場における喫茶の機会に利用できる。特に喫茶業においては店主の顧客に対する心遣いが具現化でき顧客サービスの向上や店舗の魅力向上が期待できる。
【００３１】
本保温ホルダー１は構造が簡素であり、材質は陶磁器製とすることが適当であることから、安価で制作でき、廉価で供給できる。
【符号の説明】
【００３２】
１  保温ホルダー本体
２  切り込み
３  周壁部
４  底部
５  脚部
６  蓋
７  ツバ
８  取っ手付き飲容器
９  飲容器取っ手
【図１】
2014144032.tif 000004
【図２】
2014144032.tif 000005
【図３】
2014144032.tif 000006
【図４】
2014144032.tif 000007
【図５】
2014144032.tif 000008
【図６】
2014144032.tif 000009
【図７】
2014144032.tif 000010
【図８】
2014144032.tif 000011